(57)【要約】      （修正有）【課題】電子機器を装着し易く、かつ抜け難くすることができると共に、着脱作業性が良い電子機器の保持装置を提供する。【解決手段】電子機器がスライド可能に配置される保持部本体３と、電子機器が保持部本体３に沿って第１の方向にスライドされたときに電子機器に係合して電子機器を保持し、電子機器が保持部本体３に沿って第１のスライド方向に対して逆方向の第２のスライド方向にスライドされたときに電子機器との係合が解除されるロック部材６とを備え、このロック部材６は電子機器に向けて弾力的に押し出されて電子機器の機器係合部１７に係合するフック部１８を有し、このフック部１８は、フック部１８を電子機器の機器係合部１７に係合させるのに要する第１の力を、電子機器の機器係合部１７との係合を解除するのに要する第２の力よりも小さくする形状に設定されている。【選択図】図１１
2014124001.tif 000002
【特許請求の範囲】
【請求項１】
電子機器を着脱可能に保持する電子機器の保持装置において、
前記電子機器がスライド可能に配置される保持部本体と、
前記保持部本体に設けられ、前記電子機器が前記保持部本体に沿って第１のスライド方向にスライドされたときに該電子機器に係合して前記電子機器を保持し、前記電子機器が前記保持部本体に沿って前記第１のスライド方向に対して逆方向の第２のスライド方向にスライドされたときに該電子機器との係合が解除されるロック部材と、
を備え、
前記ロック部材は、前記電子機器に向けて弾力的に押し出されて前記電子機器に設けられた機器係合部に係合して前記電子機器を保持するフック部を有し、
前記フック部は、該フック部を前記電子機器の前記機器係合部に係合させるのに要する第１の力を、前記電子機器の前記機器係合部との係合を解除するのに要する第２の力よりも小さくする形状に設定されていることを特徴とする電子機器の保持装置。
【請求項２】
請求項１に記載の電子機器の保持装置において、
前記フック部は、前記電子機器が前記保持部本体に対して前記第１のスライド方向にスライドする際に、前記電子機器の一部に接触しながら押し込まれて前記フック部を前記電子機器の前記機器係合部に導く第１傾斜部と、前記電子機器が前記保持部本体に対して前記第２のスライド方向にスライドする際に、前記電子機器の前記機器係合部の内面に接触しながら押し込まれて前記フック部を前記機器係合部から離脱させる第２傾斜部とを有していることを特徴とする電子機器の保持装置。
【請求項３】
請求項２に記載の電子機器の保持装置において、
前記フック部は、山形状に形成され、この山形状の一方の傾斜部が前記第１傾斜部に形成され、他方の傾斜部が前記第２傾斜部に形成され、前記電子機器の前記第１のスライド方向に対する前記第１傾斜部の傾斜角度が、前記電子機器の前記第２のスライド方向に対する前記第２傾斜部の傾斜角度よりも、小さく形成されていることを特徴とする電子機器の保持装置。
【請求項４】
請求項１〜請求項３のいずかに記載の電子機器の保持装置において、
前記ロック部材は、前記保持部本体に対する前記電子機器の前記第１および第２のスライド方向と直交する方向に向けて前記フック部をスライド可能にガイドするフックガイド部と、前記フック部を前記保持部本体から押し出す方向に向けて弾力的に付勢する付勢部材とを備えていることを特徴とする電子機器の保持装置。
【請求項５】
請求項１〜請求項４のいずれかに記載の電子機器の保持装置において、
前記電子機器を前記保持部本体に対してスライドさせる際に、前記電子機器が前記保持部本体から離れる方向に動くことを規制して、前記電子機器をスライド方向に沿ってガイドする機器ガイド部を備えていることを特徴とする電子機器の保持装置。
【請求項６】
請求項１〜請求項５のいずれかに記載の電子機器の保持装置において、
前記電子機器が前記保持部本体に保持された際に、前記電子機器に設けられた機器側接続部と電気的に接続される保持部側接続部を備えていることを特徴とする電子機器の保持装置。
【請求項７】
請求項１〜請求項６のいずれかに記載の電子機器の保持装置において、
前記電子機器が前記保持部本体に保持された際に、スイッチ動作する検出スイッチを備えていることを特徴とする電子機器の保持装置。
【請求項８】
請求項１〜請求項７のいずれかに記載の電子機器の保持装置において、
前記電子機器は、腕に装着して使用する腕時計タイプの電子機器であることを特徴とする電子機器の保持装置。
【発明の詳細な説明】
【技術分野】
【０００１】
この発明は、腕時計タイプの電子機器、携帯電話機、携帯情報端末機などの電子機器に用いられる電子機器の保持装置に関する。
【背景技術】
【０００２】
例えば、腕時計を保持する保持装置においては、特許文献１に記載されているように、スタンド部に腕時計を載置する載置部を上向きに設け、この載置部上に腕時計を位置決めして配置し、この状態で腕時計を充電するように構成されたものが知られている。
【先行技術文献】
【特許文献】
【０００３】
【特許文献１】特開２００２−５１４７４号公報
【０００４】
このような腕時計の保持装置は、載置部の周囲に腕時計の周縁部を挟んで位置決めするための複数の位置決め突起を設けると共に、載置部の上面に腕時計の裏蓋を位置決めするための裏蓋位置決め部を設けた構成になっている。
【発明の概要】
【発明が解決しようとする課題】
【０００５】
しかしながら、このような保持装置では、載置部に腕時計を配置する際に、載置部上の裏蓋位置決め部に腕時計の裏蓋を対応させ、この状態で複数の位置決め突起に腕時計の周縁部を挟み付けるように装着しなければならないため、載置部に対する腕時計の取付作業が面倒であり、着脱作業性が悪いという問題がある。
【０００６】
すなわち、この保持装置では、複数の位置決め突起に腕時計の周縁部を挟み付ける際に、腕時計によって載置部の裏蓋位置決め部が隠れてしまうため、載置部の裏蓋位置決め部に腕時計の裏蓋が対応しているか否かを目視により確認することができないという問題があるほか、複数の位置決め突起に腕時計の周縁部を挟み付ける際に、その挟み付ける力が弱いと、腕時計を確実に固定することができず、外れ易い。また挟み付ける力が強いと、着脱作業に手間がかかり、かつ腕時計の周縁部を傷つけ易いなどの問題がある。
【０００７】
この発明が解決しようとする課題は、電子機器を装着し易く、かつ外れ難くすることができると共に、着脱作業性が良い電子機器の保持装置を提供することである。
【課題を解決するための手段】
【０００８】
この発明は、電子機器を着脱可能に保持する電子機器の保持装置において、前記電子機器がスライド可能に配置される保持部本体と、前記保持部本体に設けられ、前記電子機器が前記保持部本体に沿って第１のスライド方向にスライドされたときに該電子機器に係合して前記電子機器を保持し、前記電子機器が前記保持部本体に沿って前記第１のスライド方向に対して逆方向の第２のスライド方向にスライドされたときに該電子機器との係合が解除されるロック部材と、を備え、前記ロック部材は、前記電子機器に向けて弾力的に押し出されて前記電子機器に設けられた機器係合部に係合して前記電子機器を保持するフック部を有し、前記フック部は、該フック部を前記電子機器の前記機器係合部に係合させるのに要する第１の力を、前記電子機器の前記機器係合部との係合を解除するのに要する第２の力よりも小さくする形状に設定されていることを特徴とする電子機器の保持装置である。
【発明の効果】
【０００９】
この発明によれば、電子機器を保持部本体に沿って第１のスライド方向にスライドさせるだけで、ロック部材のフック部を電子機器の機器係合部に弾力的に係合させて、電子機器をロックすることができると共に、電子機器を保持部本体に沿って第１のスライド方向に対して逆方向の第２のスライド方向にスライドさせるだけで、フック部による係合を弾力的に解除し、電子機器に対するロックを解除することができる。また、電子機器にフック部を係合させるのに要する第１の力を、フック部の係合を解除して保持部本体から取り外すのに要する第２の力よりも小さくするようにフック部の形状が設定されているので、電子機器を装着し易くすることができ、かつ電子機器を外れ難くすることができると共に、着脱作業性の向上を図ることができる。
【図面の簡単な説明】
【００１０】
【図１】この発明に係る電子機器の保持装置の一実施形態において、保持装置に電子機器を装着した状態を示した正面図である。
【図２】図１に示された状態における保持装置および電子機器を示した側面図である。
【図３】図１に示された状態における保持装置および電子機器のＡ−Ａ矢視における断面図である。
【図４】図１に示された保持装置を示した斜視図である。
【図５】図４に示された保持装置を分解して示した斜視図である。
【図６】図４に示された保持装置の要部を示した正面図である。
【図７】図１に示された電子機器を示した斜視図である。
【図８】図７に示された電子機器を下側から見た下面図である。
【図９】図７に示された電子機器を分解して示した斜視図である。
【図１０】図９に示されたバンドの端部を示した要部の拡大図である。
【図１１】図２に示された保持装置および電子機器のＢ−Ｂ矢視において、ロック部材のフック部が電子機器の機器係合部に係合する前の状態を示した要部の拡大断面図である。
【図１２】図１１に示された状態において、ロック部材のフック部が電子機器の機器係合部に係合した状態を示した要部の拡大断面図である。
【図１３】図１に示された状態における保持装置および電子機器のＣ−Ｃ矢視における要部の拡大断面図である。
【図１４】図１に示された状態における保持装置および電子機器のＤ−Ｄ矢視における要部の拡大断面図である。
【図１５】図１４に示された実施形態における保持部本体の機器ガイド部と電子機器のガイド溝部との各変形例を示し、（ａ）はその第１変形例を示した拡大図、（ｂ）はその第２変形例を示した拡大図である。
【図１６】図２に示された保持装置および電子機器の各変形例を示し、（ａ）は保持部側接続部と機器側接続部とをコネクタで構成した第３変形例を示した図、（ｂ）は保持部本体にイジェクト釦を設けた第４変形例を示した図である。
【発明を実施するための形態】
【００１１】
以下、図１〜図１４を参照して、この発明に係る電子機器の保持装置における一実施形態について説明する。
この保持装置１は、図１〜図３に示すように、腕時計タイプの電子機器２を着脱可能に保持するように構成されている。すなわち、この保持装置１は、図４〜図６に示すように、電子機器２をスライドさせることによって電子機器２を着脱可能とする保持部本体３を備えている。
【００１２】
この保持部本体３は、図４および図５に示すように、フロントケース４とリアケース５とで構成されている。フロントケース４は、前側ベース部４ａと前側機器取付部４ｂとを有し、前側ベース部４ａの後部上に前側機器取付部４ｂが起立した状態で設けられた構成になっている。この前側機器取付部４ｂの前面には、電子機器２の裏面をガイドする突起状の一対の摺動リブ４ｃが上下方向に沿って設けられている。また、リアケース５は、後側ベース部５ａと後側機器取付部５ｂとを有し、フロントケース４と同様、後側ベース部５ａの後部上に後側機器取付部５ｂが起立した状態で設けられた構成になっている。
【００１３】
これにより、保持部本体３は、図４および図５に示すように、フロントケース４の前側ベース部４ａとリアケース５の後側ベース部５ａとを対応させると共に、フロントケース４の前側機器取付部４ｂとリアケース５の後側取付部５ｂとを対応させ、この状態でフロントケース４とリアケース５とをビス３ｃで接合した構成になっている。すなわち、この保持部本体３は、前側ベース部４ａと後側ベース部５ａとで長方形の箱形状のケース部３ａに形成され、前側機器取付部４ｂと後側取付部５ｂとで起立した状態の平板状のケース部３ｂに形成されている。
【００１４】
また、この保持装置１は、図４および図５に示すように、電子機器２に係脱可能に係合して電子機器２を保持するロック部材６と、電子機器２を上下方向にスライド可能にガイドする機器ガイド部７と、電子機器２を保持部本体３に電気的に接続するための保持部側接続部８と、電子機器２が保持部本体３に装着された際にスイッチ動作する検出スイッチ９と、保持部本体３と外部機器（図示せず）とを電気的に接続する接続ケーブル１０とを備えている。
【００１５】
一方、電子機器２は、図７および図８に示すように、例えば腕に取り付けて使用する腕時計タイプのリスト端末機であり、メールや通信などの情報通信機能を備えている。すなわち、この電子機器２は、機器ケース１１と、この機器ケース１１の両側に取り付けられたバンド１２とを備えている。この場合、機器ケース１１は、図３に示すように、その前部開口部に設けられた機器ガラス２ａと、機器ケース１１の内部に配置された機器モジュール２ｂとを備えている。
【００１６】
また、この機器ケース１１は、図７および図８に示すように、その上部側に位置する側面に設けられた押釦スイッチ１３と、下部側に位置する側面に設けられた機器側接続部１４とを備えている。さらに、この機器ケース１１の両側部には、バンド１２が取り付けられるバンド取付部１１ａがそれぞれ設けられている。バンド１２は、ウレタン樹脂などの合成樹脂からなり、図７〜図９に示すように、機器ケース１１の各バンド取付部１１ａに取付ピン１５および取付金具１６によって取り付けられている。
【００１７】
この場合、取付ピン１５は、ばね棒であり、図９、図１３および図１４に示すように、バンド１２の端部に設けられた孔、およびバンド取付部１１ａに設けられた孔に連続して挿入するように構成されている。取付金具１６は、帯状の金属板の両端部をほぼ直角に折り曲げたものであり、この両側の折り曲げ部１６ａに取付孔１６ｂが設けられ、この折り曲げ部１６ａがバンド１２の端部の両側に配置されて、取付孔１６ｂがバンド１２の端部の孔に対応するように構成されている。
【００１８】
これにより、バンド１２は、図７〜図９、図１３および図１４に示すように、その端部を機器ケース１１のバンド取付部１１ａに挿入させて、バンド１２の端部に設けられた孔、およびバンド取付部１１ａに設けられた孔を対応させ、この状態でバンド１２の端部の孔、およびバンド取付部１１ａの孔に取付ピン１５を連続させて挿入することにより、バンド１２の端部が機器ケース１１のバンド取付部１１ａに取り付けられるように構成されている。
【００１９】
また、このバンド１２は、図７〜図９、図１３および図１４に示すように、その端部が機器ケース１１のバンド取付部１１ａに取り付けられた状態で、バンド１２の端部の両側に取付金具１６の折り曲げ部１６ａを配置して、折り曲げ部１６ａの取付孔１６ｂに取付ピン１５の両端部を挿入させることにより、取付金具１６がバンド１２の端部に取り付けられ、この取付金具１６の側辺部１６ｃがバンド１２の端部を下側から機器ケース１１のバンド取付部１１ａに押し付けるように構成されている。
【００２０】
ところで、電子機器２を保持部本体３に対してロックするロック部材６は、図４〜図６に示すように、保持部本体３の上部における側部からその外部側方に向けて弾力的に押し出されて電子機器２に設けられた後述する機器係合部１７に係脱可能に係合するフック部１８と、保持部本体３に対する電子機器２のスライド方向と直交する方向に向けてフック部１８をスライド可能にガイドするフックガイド部１９と、フック部１８を保持部本体３から外部に押し出す方向に向けて弾力的に付勢するばね部材２０とを備えている。
【００２１】
電子機器２の保持部本体３に対するスライド方向は、電子機器２を保持部本体３に装着させる際には前側ベース部４ａ側に向かう、図６に示す第１のスライド方向Ｓａに設定され、電子機器２を保持部本体３から取り外す際には第１のスライド方向Ｓａに対して逆方向の、図６に示す第２のスライド方向Ｓｂに設定される。
【００２２】
この場合、フック部１８は、図４〜図６に示すように、保持部本体３の上部における左右の両側からそれぞれ電子機器２の第１および第２のスライド方向Ｓａ、Ｓｂと直交する方向である出没方向に向けてスライド可能に設けられている。すなわち、このフック部１８は、保持部本体３内に配置されてリアケース５内に設けられたフックガイド部１９によってガイドされるガイドアーム２１と、フロントケース４のガイド孔４ｄ内を移動するヘッド部２２とを有している。
【００２３】
フックガイド部１９は、図５に示すように、リアケース５内の上部における左右の両側に位置し、電子機器２のスライド方向と直交する方向に沿って設けられた上下一対のガイドリブである。ばね部材２０は、コイルばねであり、フックガイド部１９のガイド方向に沿ってリアケース５内に配置されている。これにより、フック部１８は、保持部本体３内に配置されたばね部材２０のばね力によって、ヘッド部２２が押し出される方向に向けて弾力的に付勢されるように構成されている。
【００２４】
また、このフック部１８は、図４〜図６に示すように、電子機器２を保持部本体３に装着させて、フック部１８を機器係合部１７に係合させることによってロックするのに要するロック力（第１の力）が、フック部１８の機器係合部１７との係合を解除して電子機器２を保持部本体３から取り外すのに要するロック解除力（第２の力）よりも小さくなるように、その形状が設定されている。これにより、フック部１８は、電子機器２を保持部本体３に対してスライドさせて装着させる際に、電子機器２を装着し易くし、かつ電子機器２を保持部本体３からスライドさせて取り外す際に、抜け難くなるように構成されている。
【００２５】
すなわち、このフック部１８は、図１１および図１２に示すように、電子機器２を保持部本体３に対しスライドさせて装着させる際に、電子機器２の後述する機器係合部１７に隣接する箇所の接触部１２ａに弾力的に接触して押し込まれるＰａ方向に移動する第１傾斜部２３と、電子機器２を保持部本体３に対しスライドさせて取り外す際に、電子機器２の機器係合部１７の内面つまり後述する第４傾斜部１７ｂに弾力的に接触して押し込まれるＰａ方向に移動する第２傾斜部２４とを有している。
【００２６】
この場合、フック部１８は、図４〜図６、図１１および図１２に示すように、そのヘッド部２２が山形状に形成され、この山形状の一方の傾斜部が第１傾斜部２３に形成され、他方の傾斜部が第２傾斜部２４に形成されている。図６（ｂ）に示すように、電子機器２を保持部本体３に装着させる際の第１のスライド方向Ｓａに対する第１傾斜部２３の傾斜角度θａが、電子機器２を保持部本体３から取り外す際の第２のスライド方向Ｓｂに対する第２傾斜部２４の傾斜角度θｂよりも、小さく形成されている。
【００２７】
すなわち、このフック部１８は、図４〜図６、図１１および図１２に示すように、第１傾斜部２３が電子機器２を装着し易すい傾斜角度に形成され、第２傾斜部２４が電子機器２の抜け難い傾斜角度に形成されている。これにより、このフック部１８は、第１傾斜部２３の傾斜長さが第２傾斜部２４の傾斜長さよりも長く形成された形状になっている。
【００２８】
この場合、第２傾斜部２４は、図１１および図１２に示すように、保持部側接続部８の後述する複数の接点ピン８ａによる反発力によって、フック部１８によるロックが解除されない程度のロック力を有するように、その傾斜角度が設定されている。このため、フック部１８は、電子機器２が軽い力で装着し、かつその装着する際の力よりも少し強い力で電子機器２が取り外せるように構成されている。
【００２９】
ところで、電子機器２の機器係合部１７は、図１０〜図１２に示すように、バンド１２の端部に設けられている。すなわち、この機器係合部１７は、ロック部材６のフック部１８におけるヘッド部２２の先端部２２ａが係脱可能に係合するＶ字形状の凹部であり、ヘッド部２２の第１傾斜部２３に対応する第３傾斜部１７ａと、ヘッド部２２の第２傾斜部２４に対応する第４傾斜部１７ｂとを有し、バンド１２の端部にＶ字形状に食い込んで設けられている。
【００３０】
これにより、フック部１８は、図１１および図１２に示すように、電子機器２の機器ケース１１が保持部本体３の前面に沿って上側から下側に向けて第１のスライド方向Ｓａにスライドして、電子機器２を保持部本体３に装着する際に、ヘッド部２２の第１傾斜部２３が機器係合部１７に隣接するバンド１２の接触部１２ａによって押されて、ばね部材２０のばね力に抗して徐々に押し込まれるように構成されている。
【００３１】
また、このフック部１８は、図１１および図１２に示すように、機器ケース１１が保持部本体３の前面に沿って上側から下側に向けて第１のスライド方向Ｓａにスライドして、ヘッド部２２の先端部２２ａがバンド１２の端部における接触部１２ａから機器係合部１７に向けて相対的に移動した際に、ヘッド部２２がばね部材２０のばね力によって、機器係合部１７内にＰｂ方向に押し込まれて係合するように構成されている。
【００３２】
これにより、フック部１８は、図１２に示すように、ヘッド部２２の先端部２２ａがばね部材２０のばね力で機器係合部１７内に押し込まれて係合した際に、ヘッド部２２の第１傾斜部２３が機器係合部１７の第３傾斜部１７ａに当接すると共に、ヘッド部２２の第２傾斜部２４が機器係合部１７の第４傾斜部１７ｂに当接することにより、保持部本体３に対して機器ケース１１をロックするように構成されている。
【００３３】
さらに、このフック部１８は、図１１および図１２に示すように、機器ケース１１を保持部本体３の前面に沿って下側から上側に向けて第２のスライド方向Ｓｂにスライドさせて、電子機器２を保持部本体３から取り外す際に、ヘッド部２２の第２傾斜部２４がばね部材２０のばね力に抗して機器係合部１７の第４傾斜部１７ｂに沿って保持部本体３側に押し込まれるＰａ方向に向けて移動することにより、ヘッド部２２の先端部２２ａが機器係合部１７内から押し出され、保持部本体３に対する機器ケース１１のロックを解除するように構成されている。
【００３４】
一方、保持部本体３の機器ガイド部７は、図４〜図６、図１１、図１４に示すように、フロントケース４の前側取付部４ｂにおけるロック部材６の下側に位置する左右の両側から側方に突出して設けられている。この機器ガイド部７は、図１０〜図１２、および図１４に示すように、電子機器２が保持部本体３に対してスライドする際に、電子機器２のガイド溝部２６に挿入した状態となって、機器ケース１１が保持部本体３のケース部３ｂの面に直交する、ケース部３ｂの面から離れる方向への動きを規制する。これにより、電子機器２の上下方向へのスライドに応じて機器ケース１１をガイドするように構成されている。
【００３５】
この場合、電子機器２のガイド溝部２６は、図９〜図１２に示すように、バンド１２の端部における機器係合部１７の下側に、これに隣接する接触部１２ａを隔てて設けられている。すなわち、このガイド溝部２６は、電子機器２の機器ケース１１を保持部本体３の前面に沿って上下方向にスライドさせる際に、ロック部材６のフック部１８におけるヘッド部２２の先端部２２ａが挿入してガイドされると共に、機器ガイド部７が挿入してガイドされるように構成されている。
【００３６】
これにより、保持部本体３の機器ガイド部７と電子機器２のガイド溝部２６とは、図１１および図１２に示すように、ガイド溝部２６内に機器ガイド部７が挿入して移動することにより、機器ケース１１が保持部本体３のケース部３ｂの面に直交する方向、すなわちケース部３ｂの面から離れる方向へ動くことが規制されて、保持部本体３に対する電子機器２のガタツキを防ぐように構成されている。また、この機器ガイド部７とガイド溝部２６とは、電子機器２が保持部本体３に装着されてロックされた際に、ガイド溝部２６の上端部に機器ガイド部７の上端部が当接することにより、保持部本体３に対する電子機器２の取付位置を下限位置に規制するように構成されている。
【００３７】
また、保持部本体３における前側ベース部４ａと後側ベース部５ａとの内部には、図３および図５に示すように、回路基板２７がビス２７ａによって取り付けられている。この回路基板２７の右側上部には、保持部側接続部８が設けられている。この保持部側接続部８は、複数の接点ピン８ａがばね部材（図示せず）によってそれぞれ弾力的に押し上げられる方向に付勢されて設けられた構成になっている。
【００３８】
これら複数の接点ピン８ａは、図３〜図５に示すように、その上端部が保持部本体２の前側ベース部４ａの上面から上方に弾力的に突出し、この突出した上端部に電子機器２の機器側接続部１４が接触するように構成されている。この場合、電子機器２の機器側接続部１４は、図８に示すように、複数の接点部１４ａが機器ケース１１の下部側に位置する側面に設けられた構成になっている。
【００３９】
これにより、保持部本体３と電子機器２とは、図３に示すように、機器ケース１１が保持部本体３に装着された際に、機器ケース１１の機器側接続部１４における複数の接点部１４ａが保持部本体３の保持部側接続部８における複数の接点ピン８ａにそれぞれ弾接して電気的に接続されることにより、電子機器２の充電や、電子機器２と保持部本体３との間での通信が行われるように構成されている。
【００４０】
この場合、保持部本体３のフロントケース４における前側ベース４ａ上には、図４および図５に示すように、クッション材２８が設けられている。このクッション材２８は、保持部側接続部８における複数の接点ピン８ａに機器ケース１１の機器側接続部１４における複数の接点部１４ａが弾接する際に、機器ケース１１の下部に位置する側面が弾接するように構成されている。
【００４１】
また、回路基板２７の右側下部には、図５に示すように、コネクタ２９が設けられている。このコネクタ２９は、例えばＵＳＢコネクタであり、図４および図５に示すように、ＵＳＢケーブルである接続ケーブル１０のコネクタ１０ａが接続され、この接続ケーブル１０によって回路基板２７と外部機器（図示せず）とを電気的に接続し、その両者の間で通信が行なわれるように構成されている。
【００４２】
さらに、保持部本体３の前面における左下部には、図４および図５に示すように、検出スイッチ９が設けられている。この検出スイッチ９は、回路基板２７とリード線（図示せず）によって電気的に接続され、電子機器２が保持部本体３に装着された際にスイッチ動作して、検出信号を回路基板２７に出力するように構成されている。
【００４３】
次に、この保持装置１の作用について説明する。
まず、保持装置１の保持部本体３に電子機器２を装着する場合には、電子機器２の機器ケース１１を立てた状態で保持部本体３の上方に配置し、この状態で機器ケース１１の裏面を保持部本体３のフロントケース４における前側機器取付部４ｂの前面に対応させて、機器ケース１１の裏面を前側機器取付部４ｂの一対の摺動リブ４ｃに沿って上側から下側に向けて第１のスライド方向Ｓａにスライドさせる。
【００４４】
すると、まず、機器ケース１１のバンド取付部１１ａに取り付けられたバンド１２の端部のガイド溝部２６にロック部材６のフック部１８におけるヘッド部２２の先端部２２ａが挿入され、このヘッド部２２の先端部２２ａによって機器ケース１１がガイドされる。このときには、フック部１８がばね部材２０のばね力によって弾力的に押し出されているので、機器ケース１１が左右方向に少し位置がずれていても、このフック部１８のヘッド部２２の先端部２２ａがバンド１２のガイド溝部２６内に確実に挿入して機器ケース１１をガイドする。
【００４５】
この状態で、機器ケース１１が保持部本体３に対して下側に向けてスライドすると、機器ケース１１のバンド１２のガイド溝部２６内に保持部本体３の機器ガイド部７が挿入され、機器ケース１１は、この機器ガイド部７によって、左右方向に横振れすることなく、かつ前後方向（つまり機器ケース１１の厚み方向に）にもガタツクことなく、ガイドされながら下側に移動する。そして、ヘッド部２２がガイド溝部２６の上端部に到達すると、ガイド溝部２６の上端部に位置するバンド１２の接触部１２ａがヘッド部２２の第１傾斜部２３に沿って移動を開始する。
【００４６】
このときには、第１傾斜部２３の傾斜角度θａが第２傾斜部２４の傾斜角度θｂよりも小さく緩やかであるから、ガイド溝部２６の上端部に位置するバンド１２の接触部１２ａが第１傾斜部２３に沿って円滑に移動する。すると、図１１に示すように、バンド１２の接触部１２ａが第１傾斜部２３をばね部材２０のばね力に抗して保持部本体３内に向けて徐々にＰａ方向に押し込みながら移動する。このため、機器ケース１１が軽い力で下側にスライドする。
【００４７】
そして、ガイド溝部２６の上端部に位置するバンド１２の接触部１２ａがヘッド部２２の先端部２２ａに到達して乗り越えると、図１２に示すように、ヘッド部２２の先端部２２ａがバンド１２の接触部１２ａから離れて機器係合部１７に対応する。すると、フック部１８がばね部材２０のばね力によってＰｂ方向に押し出され、このフック部１８のヘッド部２２の先端部２２ａが電子機器２の機器係合部１７内に押し込まれて係合する。
【００４８】
このように、フック部１８のヘッド部２２がばね部材２０のばね力で機器係合部１７内に押し込まれて係合した際には、図１２に示すように、ヘッド部２２の第１傾斜部２３が機器係合部１７の第３傾斜部１７ａに当接すると共に、ヘッド部２２の第２傾斜部２４が機器係合部１７の第４傾斜部１７ｂに当接することにより、保持部本体３に対して機器ケース１１がロックされる。
【００４９】
この状態では、フック部１８のヘッド部２２の先端部２２ａが電子機器２の機器係合部１７に係合し、保持部本体３の機器ガイド部７が電子機器２のガイド溝部２６に挿入しているので、電子機器２が保持部本体３に対してガタツクことなく装着される。また、この状態では、電子機器２のガイド溝部２６の上端部が保持部本体３の機器ガイド部７の上端部に当接するので、電子機器２の取付位置が下限位置に規制され、保持部本体３に対する正確な位置に電子機器２が位置規制される。
【００５０】
このため、機器ケース１１の機器側接続部１４における複数の接点部１４ａが、保持部本体３の保持部側接続部８における複数の接点ピン８ａに、それぞれ正確にかつ良好に弾接する。これにより、電子機器２の電子回路（図示せず）と保持部本体３の回路基板２７とが電気的に接続されるので、電子機器２の充電や、電子機器２と保持部本体３との間での通信が可能になる。
【００５１】
また、このときには、電子機器２の下部側に位置する側面が、クッション材２８に弾接するので、このクッション材２８および保持部側接続部８の複数の接点ピン８ａによって電子機器２が保持部本体３に安定した状態で良好に保持される。さらに、このときには、保持部本体３の前面における左下部に設けられた検出スイッチ９が、機器ケース１１の裏面で押されてスイッチ動作して、検出信号を回路基板２７に出力する。
【００５２】
この状態では、機器ケース１１の機器側接続部１４における複数の接点部１４ａが保持部本体３の保持部側接続部８における複数の接点ピン８ａにそれぞれ弾接して電気的に接続されていることにより、保持部本体３内の回路基板２７と外部機器（図示せず）とが接続ケーブル１０によって電気的に接続されていることにより、保持部本体３内の回路基板２７を介して、電子機器２の充電や、電子機器２と外部機器との間での通信を行うことができる。
【００５３】
また、このように電子機器２が保持部本体３に装着された際には、電子機器２の複数の接点部１４ａが保持部本体３の複数の接点ピン８ａに弾力的に接触して、電子機器２が複数の接点ピン８ａによって押し上げられていても、ロック部材６によって電子機器２が保持部本体３に対して離脱することなく、確実にロックされる。
【００５４】
すなわち、ロック部材６は、フック部１８の第２傾斜部２４が第１傾斜部２３よりも急な傾斜角度を有しているから、フック部１８のヘッド部２２が電子機器２の機器係合部１７から抜け難く、電子機器２が複数の接点ピン８ａによって押し上げられても、ロック部材６によるロックが解除されることがなく、電子機器２を保持部本体３に確実にロックした状態を維持する。
【００５５】
一方、電子機器２を保持部本体３から取り外す際には、電子機器２の機器係合部１７に対するヘッド部２２の係合力に抗して、電子機器２を保持部本体３の下側から上側に向けて第１のスライド方向Ｓａに対して逆方向の第２のスライド方向Ｓｂにスライドさせれば良い。このときには、フック部１８の第２傾斜部２４が第１傾斜部２３よりも急な傾斜角度であるから、電子機器２を保持部本体３に装着してロックするのに要するロック力よりも、強い力で電子機器２を引き上げる方向にスライドさせれば良い。
【００５６】
すなわち、電子機器２をロックするのに要するロック力よりも強い力で引き上げると、ヘッド部２２の第２傾斜部２４がばね部材２０のばね力に抗して機器係合部１７の第４傾斜部１７ｂに沿って保持部本体３内に押し込まれるＰａ方向に向けて移動する。これにより、ヘッド部２２の先端部２２ａが機器係合部１７内から押し出され、保持部本体３に対する電子機器２のロックが解除されるので、電子機器２を保持部本体３の上側に向けてスライドさせることにより、容易に電子機器２を取り外すことができる。
【００５７】
このように、この電子機器２の保持装置１によれば、電子機器２がスライド可能に配置される保持部本体３と、電子機器２に係脱可能に係合して電子機器２を保持するロック部材６とを備え、このロック部材６が、電子機器２に向けて弾力的に押し出されて電子機器２に設けられた機器係合部１７に係合するフック部１８を有し、このフック部１８は、電子機器２を保持部本体３に装着してロックするのに要するロック力が、電子機器２を保持部本体３から取り外すのに要するロック解除力よりも、小さく設定されていることにより、電子機器２を装着し易く、かつ抜け難くすることができると共に、着脱作業性の向上を図ることができる。
【００５８】
すなわち、この電子機器２の保持装置１では、電子機器２を保持部本体３に装着する際に、電子機器２を保持部本体３に沿って第１のスライド方向Ｓａにスライドさせると、ロック部材６のフック部１８を電子機器２の機器係合部１７に弾力的に係合させることができると共に、電子機器２を保持部本体３から取り外す際に、電子機器２の機器係合部１７に対するフック部１８の係合力に抗して電子機器２を第１のスライド方向Ｓａに対して逆方向の第２のスライド方向Ｓｂにスライドさせるだけで、フック部１８による係合を弾力的に解除することができる。
【００５９】
また、この電子機器２の保持装置１では、電子機器２に対するフック部１８のロック力を保持部本体３から取り外すのに要するロック解除力よりも小さくすることができるので、電子機器２を装着し易くすることができると共に、電子機器２を抜け難くすることができ、これにより電子機器２を傷つけずに、確実にロックすることができると共に、良好に取り外すことができるので、着脱作業性の向上を図ることができる。
【００６０】
この場合、フック部１８は、電子機器２が保持部本体３に対してスライドする際に、電子機器２の一部である接触部１２ａに接触しながら押し込まれてフック部１８を電子機器２の機器係合部１７に導く第１傾斜部２３と、電子機器２が保持部本体３に対してスライドする際に、電子機器２の機器係合部１７の内面である第４傾斜部１７ｂに接触しながら押し込まれてフック部１８を機器係合部１７から離脱させる第２傾斜部２４とを有していることにより、電子機器２を保持部本体３に対してスライドさせるだけで、電子機器２のロック動作およびロック解除動作を容易にかつ確実に行うことができる。
【００６１】
また、このフック部１８は、そのヘッド部２２が山形状に形成され、この山形状の一方の傾斜部が第１傾斜部２３に形成され、他方の傾斜部が第２傾斜部２４に形成され、電子機器２の第１のスライド方向Ｓａに対する第１傾斜部２３の傾斜角度θａが、電子機器２の第２のスライド方向Ｓｂに対する第２傾斜部２４の傾斜角度θｂよりも、小さく形成されていることにより、電子機器２を装着し易くすることができると共に、電子機器２を抜け難くすることができる。
【００６２】
すなわち、フック部１８は、第１傾斜部２３のその傾斜長さが第２傾斜部２４の傾斜長さよりも長く形成され、これにより第１傾斜部２３が電子機器２を装着し易すい傾斜角度に形成され、かつ第２傾斜部２４が電子機器２の抜け難い傾斜角度に形成されていることにより、電子機器２を装着し易くすることができると共に、電子機器２を抜け難くすることができる。
【００６３】
これにより、この保持装置１では、電子機器２の機器ケース１１を保持部本体３の前面に沿って上側から下側に向けてスライドさせて、電子機器２を保持部本体３に装着する際に、機器係合部１７に隣接するバンド１２の接触部１２ａがフック部１８の第１傾斜部２３に沿って移動することにより、フック部１８を保持部本体３内に向けて徐々に押し込むことができ、このため電子機器２を保持部本体３に装着する際に、軽い力で円滑にフック部１８を機器係合部１７に係合させることができ、これにより保持部本体３に対して電子機器２を確実にロックすることができ、かつ抜け難くすることができる。
【００６４】
また、この保持装置１では、電子機器２を保持部本体３の前面に沿って下側から上側に向けてスライドさせて、保持部本体３から取り外す際に、フック部１８の第２傾斜部２４が機器係合部１７の内面である第４傾斜部１７ｂに沿って移動するのであるが、第２傾斜部２４の傾斜角度θｂが第１傾斜部２３の傾斜角度θａよりも急な角度であるから、電子機器２を保持部本体３に装着するのに要するロック力よりも、強い力で電子機器２をスライドさせることにより、フック部１８を機器係合部１７内から離脱させることができ、これにより保持部本体３に対する電子機器２のロックを良好に解除することができる。
【００６５】
また、この保持装置１では、ロック部材６が、保持部本体３に対する電子機器２のスライド方向と直交する方向に向けてフック部１８をスライド可能にガイドするフックガイド部１９と、フック部１８を保持部本体３から押し出す方向に向けて弾力的に付勢するばね部材２０とを備えていることにより、フックガイド部１９によってフック部１８を電子機器２のスライド方向と直交する方向に向けて円滑にかつ良好にガイドすることができ、またばね部材２０のばね力によってフック部１８を最適な力で弾力的に押し出すことができる。
【００６６】
さらに、この保持装置１によれば、電子機器２を保持部本体３に対してスライドさせる際に、電子機器２をスライド方向に沿ってガイドする機器ガイド部７を備えていることにより、電子機器２をスライドさせて保持部本体３に装着する際に、機器ガイド部７によって電子機器２を確実にかつ良好にガイドすることができ、これにより電子機器２をロック部材６によってロックさせることができる。
【００６７】
また、この保持装置１では、電子機器２をスライドさせて保持部本体３から取り外す際にも、機器ガイド部７によって電子機器２をガイドすることができ、これにより電子機器２をガタ付かせることなく円滑にスライドさせることができるので、ロック部材６によるロックを良好に解除することができる。このため、保持部本体３に対する電子機器２の着脱作業性が良く、電子機器２を保持部本体３に対して円滑にかつ良好に着脱することができる。
【００６８】
この場合、機器ガイド部７は、電子機器２のバンド１２に設けられたガイド溝部２６に挿入した状態で、電子機器２のスライド動作に応じてガイド溝部２６内を相対的に移動する構成であるから、電子機器２を保持部本体３に対してスライドさせる際に、電子機器２が保持部本体３に対してガタツクことなく、電子機器２を安定した状態で円滑にかつ良好にスライドさせることができるほか、機器ガイド部７が電子機器２の前面に被さることがないので、画面表示に影響を及ぼすことがなく、デザイン的に好ましいものを提供することができる。
【００６９】
また、この機器ガイド部７は、電子機器２を保持部本体３に対してスライドさせて装着した際に、電子機器２のガイド溝部２６の上端部が保持部本体３の機器ガイド部７の上端部に当接することにより、電子機器２の取付位置を下限位置に規制することができ、これにより保持部本体３に対して電子機器２を正確な位置に規制することができる。
【００７０】
さらに、この保持装置１では、電子機器２が保持部本体３に装着した際に、電子機器２に設けられた機器側接続部１４と電気的に接続される保持部側接続部８を備えていることにより、電子機器２を保持部本体３に装着するだけで、電子機器２の機器側接続部１４と保持部本体３の保持部側接続部８とを電気的に接続することができ、これにより電子機器２の充電や、電子機器２と保持部本体３との間での通信を行うことができる。
【００７１】
すなわち、保持部本体３の保持部側接続部８は、複数の接点ピン８ａがばね部材（図示せず）によってそれぞれ弾力的に押し上げる方向に付勢され、保持部本体３の上方に弾力的に突出した構成であり、電子機器２の機器側接続部１４は、複数の接点部１４ａが機器ケース１１の下部側に位置する側面に設けられた構成であることにより、電子機器２を保持部本体３に装着した際に、電子機器２の複数の接点部１４ａを保持部本体３の複数の接点ピン８ａに弾力的に接触させることができるので、複数の接点部１４ａと複数の接点ピン８ａとを確実にかつ良好に接続することができる。
【００７２】
この場合、ロック部材６は、フック部１８の第２傾斜部２４が第１傾斜部２３よりも急な傾斜角度であり、フック部１８のヘッド部２２が電子機器２の機器係合部１７から抜け難いので、電子機器２が複数の接点ピン８ａによって弾力的に押し上げられても、ロック部材６によるロックが解除されることがなく、電子機器２を保持部本体３に対して確実にロックした状態を維持することができる。
【００７３】
また、この保持装置１では、電子機器２が保持部本体３にロック部材５によってロックされて装着された際に、スイッチ動作する検出スイッチ９を備えていることにより、電子機器２を保持部本体３に装着するだけで、自動的に検出スイッチ９を動作させて、電子機器２と保持部本体３との間での通信を可能な状態にすることができ、これにより使い勝手の良いものを提供することができる。
【００７４】
なお、上述した実施形態では、ロック部材６の付勢部材として、コイルばねなどのばね部材２０を用いた場合について述べたが、これに限らず、板ばねなどのばね部材を用いても良く、またばね部材に限らず、ゴムやエラストマなどの弾性部材を用いても良い。
【００７５】
また、上述した実施形態では、電子機器２のバンド１２に保持部本体３の機器ガイド部７が挿入して電子機器２をガイドするためのガイド溝部２６を設けた場合について述べたが、これに限らず、図１５（ａ）に示す第１変形例のように、電子機器２の機器ケース１１におけるバンド取付部１１ａに保持部本体３の機器ガイド部７が挿入するガイド溝部２６を設けても良い。
【００７６】
また、保持部本体３の機器ガイド部７は、電子機器２のガイド溝部２６に挿入する形状である必要はなく、例えば図１５（ｂ）に示す第２変形例のように、電子機器２のガイド溝部２６に挿入し、かつガイド溝部２６が挿入することにより、保持部本体３の機器ガイド部７が電子機器２のガイド溝部２６を挟んだ状態でスライドするような形状に形成しても良い。
【００７７】
さらに、上述した実施形態では、保持装置１の保持部本体３を起立させた状態で使用する場合について述べたが、これに限らず、例えば図１６（ａ）および図１６（ｂ）に示すように、横に倒した状態、つまり保持部本体３における平板状のケース部３ｂの裏面を載置面上に配置した状態で使用するようにしても良い。
【００７８】
また、上述した実施形態では、電子機器２が保持部本体３に装着した際に、その両者を電気的に接続する接続部材として、保持部本体３の保持部側接続部８を複数の接点ピン８ａで構成し、電子機器２の機器側接続部１４を複数の接点部１４ａで構成した場合について述べたが、これに限らず、例えば図１６（ａ）に示す第３変形例のように、保持部側接続部８を雄コネクタ３０で構成し、機器側接続部１４を雌コネクタ３１で構成しても良い。
【００７９】
また、上述した実施形態では、電子機器２を保持部本体３から取り外す際に、電子機器２を引き上げてロック部材６によるロックを解除するように構成した場合について述べたが、これに限らず、例えば図１６（ｂ）に示す第４変形例のように、保持部本体３にイジェクト釦３２を設け、このイジェクト釦３２でロック部材６によるロックを解除するように構成しても良い。
【００８０】
なおまた、上述した実施形態およびその各変形例では、保持部本体３に腕時計タイプの電子機器２を装着する場合について述べたが、必ずしも腕時計タイプの電子機器２である必要はなく、例えば電子腕時計、携帯電話機、携帯情報端末機などの各種の電子機器に広く適用することができる。
【００８１】
以上、この発明の一実施形態およびその各変形例について説明したが、この発明は、これらに限られるものではなく、特許請求の範囲に記載された発明とその均等の範囲を含むものである。
以下に、本願の特許請求の範囲に記載された発明を付記する。
【００８２】
（付記）
請求項１に記載の発明は、電子機器を着脱可能に保持する電子機器の保持装置において、前記電子機器がスライド可能に配置される保持部本体と、前記保持部本体に設けられ、前記電子機器が前記保持部本体に沿って第１のスライド方向にスライドされたときに該電子機器に係合して前記電子機器を保持し、前記電子機器が前記保持部本体に沿って前記第１のスライド方向に対して逆方向の第２のスライド方向にスライドされたときに該電子機器との係合が解除されるロック部材と、を備え、前記ロック部材は、前記電子機器に向けて弾力的に押し出されて前記電子機器に設けられた機器係合部に係合して前記電子機器を保持するフック部を有し、前記フック部は、該フック部を前記電子機器の前記機器係合部に係合させるのに要する第１の力を、前記電子機器の前記機器係合部との係合を解除するのに要する第２の力よりも小さくする形状に設定されていることを特徴とする電子機器の保持装置である。
【００８３】
請求項２に記載の発明は、請求項１に記載の電子機器の保持装置において、前記フック部は、前記電子機器が前記保持部本体に対して前記第１のスライド方向にスライドする際に、前記電子機器の一部に接触しながら押し込まれて前記フック部を前記電子機器の前記機器係合部に導く第１傾斜部と、前記電子機器が前記保持部本体に対して前記第２のスライド方向にスライドする際に、前記電子機器の前記機器係合部の内面に接触しながら押し込まれて前記フック部を前記機器係合部から離脱させる第２傾斜部とを有していることを特徴とする電子機器の保持装置である。
【００８４】
請求項３に記載の発明は、請求項２に記載の電子機器の保持装置において、前記フック部は、山形状に形成され、この山形状の一方の傾斜部が前記第１傾斜部に形成され、他方の傾斜部が前記第２傾斜部に形成され、前記電子機器の前記第１のスライド方向に対する前記第１傾斜部の傾斜角度が、前記電子機器の前記第２のスライド方向に対する前記第２傾斜部の傾斜角度よりも、小さく形成されていることを特徴とする電子機器の保持装置である。
【００８５】
請求項４に記載の発明は、請求項１〜請求項３のいずかに記載の電子機器の保持装置において、前記ロック部材は、前記保持部本体に対する前記電子機器の前記第１および第２のスライド方向と直交する方向に向けて前記フック部をスライド可能にガイドするフックガイド部と、前記フック部を前記保持部本体から押し出す方向に向けて弾力的に付勢する付勢部材とを備えていることを特徴とする電子機器の保持装置である。
【００８６】
請求項５に記載の発明は、請求項１〜請求項４のいずれかに記載の電子機器の保持装置において、前記電子機器を前記保持部本体に対してスライドさせる際に、前記電子機器が前記保持部本体から離れる方向に動くことを規制して、前記電子機器をスライド方向に沿ってガイドする機器ガイド部を備えていることを特徴とする電子機器の保持装置である。
【００８７】
請求項６に記載の発明は、請求項１〜請求項５のいずれかに記載の電子機器の保持装置において、前記電子機器が前記保持部本体に保持された際に、前記電子機器に設けられた機器側接続部と電気的に接続される保持部側接続部を備えていることを特徴とする電子機器の保持装置である。
【００８８】
請求項７に記載の発明は、請求項１〜請求項６のいずれかに記載の電子機器の保持装置において、前記電子機器が前記保持部本体に保持された際に、スイッチ動作する検出スイッチを備えていることを特徴とする電子機器の保持装置である。
【００８９】
請求項８に記載の発明は、請求項１〜請求項７のいずれかに記載の電子機器の保持装置において、前記電子機器は、腕に装着して使用する腕時計タイプの電子機器であることを特徴とする電子機器の保持装置である。
【符号の説明】
【００９０】
１  保持装置
２  電子機器
３  保持部本体
６  ロック部材
７  機器ガイド部
８  保持部側接続部
８ａ  複数の接点ピン
９  検出スイッチ
１０  接続ケーブル
１１  機器ケース
１２  バンド
１２ａ  接触面
１４  機器側接続部
１４ａ  複数の接点部
１７  機器係合部
１７ａ  第３傾斜部
１７ｂ  第４傾斜部
１８  フック部
１９  フックガイド部
２０  ばね部材
２１  ガイドアーム
２２  ヘッド部
２２ａ  ヘッド部の先端部
２３  第１傾斜部
２４  第２傾斜部
２６  ガイド溝部
【図１】
2014124001.tif 000003
【図２】
2014124001.tif 000004
【図３】
2014124001.tif 000005
【図４】
2014124001.tif 000006
【図５】
2014124001.tif 000007
【図６】
2014124001.tif 000008
【図７】
2014124001.tif 000009
【図８】
2014124001.tif 000010
【図９】
2014124001.tif 000011
【図１０】
2014124001.tif 000012
【図１１】
2014124001.tif 000013
【図１２】
2014124001.tif 000014
【図１３】
2014124001.tif 000015
【図１４】
2014124001.tif 000016
【図１５】
2014124001.tif 000017
【図１６】
2014124001.tif 000018